(57)【要約】【課題】先具部分を把持して長時間筆記すると指などが疲れやすく、特に先具が取り外し可能なものでは、先具の螺合が緩んで先具が外れる恐れがあった。【解決手段】軸筒１とこの軸筒１内に設けられた筆記機構とからなり、グリップカバー１２が装着されてなる筆記具において、軸筒１の先端に着脱可能に設けられた先具８または一体に形成された先具部にグリップカバー１２の少なくとも一部を被覆してなり、グリップカバー１２の先端を面取りし、かつグリップカバー１２の後端が軸筒１の外壁に形成された段差部１ａに当接して位置決めされている。【選択図】　　　　図１
2004142287.tif 000002
【特許請求の範囲】
【請求項１】
軸筒とこの軸筒内に設けられた筆記機構とからなる筆記具において、軸筒の先端に着脱可能に設けられた先具または軸筒と一体に形成された先具部にグリップカバーの少なくとも一部を被覆してなることを特徴とするグリップカバー付き筆記具。
【請求項２】
前記グリップカバーの先端を面取りしてなる請求項１記載のグリップカバー付き筆記具。
【請求項３】
前記グリップカバーの後端が軸筒の外壁に形成された段差部に当接してなる請求項１記載のグリップカバー付き筆記具。
【請求項４】
前記グリップカバーの後端外壁面と軸筒段部の外壁面が面一に形成されてなる請求項１記載のグリップカバー付き筆記具。
【請求項５】
前記軸筒の先端と先具または先具部との段差に係合する係合部をグリップカバー内周に形成してなる請求項１記載のグリップカバー付き筆記具。
【請求項６】
前記筆記具は、押し出し成形による多色の芯を装填してなる請求項１記載のグリップカバー付き筆記具。
【発明の詳細な説明】
【０００１】
【発明の属する技術分野】
この発明は、ボールペン、シャープペンシル等の筆記具の軸筒の先具部または先具の部分をグリップカバーの一部が被覆してなるグリップカバー付き筆記具に関する。
【０００２】
【従来の技術】
従来、筆記時の指先等の疲労を防止するために、軸筒のグリップ部分のみにグリップカバーを被覆した筆記具は種々提案されている。しかしながら、筆記者が筆記部先部の先具部または先具の部分を把持して筆記する場合は、グリップカバーは役に立たなく、長時間筆記すると指や手が疲れるという不都合があった。
【０００３】
さらに、先具が軸筒に螺合により取り付けられている構造のものでは、先具が緩んで軸筒から外れてしまうという問題があった。特に、先具と軸筒とが金属同士の場合には、極めて先具と軸筒との螺合が緩くなるものであった。
【０００４】
この出願の発明に関連する先行技術文献情報としては次のものがある。
【特許文献１】
実用新案登録第２５０９４１４号公報
【特許文献２】
実開昭５４−１１６０５０号公報
【特許文献３】
実開昭５４−１７９５３号公報
【特許文献４】
実開昭５４−１８２０２４号公報
【０００５】
【発明が解決しようとする課題】
そこで、この発明は上記のような従来の不都合を解消したものであって、筆記者が筆記具の先部の先具部または先具を把持して長時間筆記するような場合においても、疲労がないようにしたグリップカバー付き筆記具を提供することを目的とする。
【０００６】
さらに、この発明によれば、軸筒と先具とが別体に設けられ、螺合により組み立てられる場合において、螺合がゆるんで先具が軸筒から落下することのない、グリップカバー付き筆記具を提供することを目的とする。
【０００７】
【課題を解決するための手段】
上記目的を達成するために、この発明によれば、軸筒とこの軸筒内に設けられた筆記機構とからなる筆記具において、軸筒の先端に着脱可能に設けられた先具または一体に形成された先具部にグリップカバーの少なくとも一部を被覆してなる。
【０００８】
【発明の実施の形態】
以下、添付図面を用いてこの発明の実施の形態によるグリップカバー付き筆記具について詳述する。
【０００９】
図１は、この発明の実施の形態１によるグリップカバー付き筆記具、即ち、後端ノック式シャープペンシル構造を示すものである。図において、軸筒１の内部には筆記芯Ｌが充填される芯タンク２が摺動自在に設けられている。この芯タンク２の先部には、筆記芯Ｌの繰り出し用のチャック３が圧入・固設されている。そして、このチャック３の先端のチャック部にはチャックリング３１が遊嵌されている。
【００１０】
さらに、このチャック３の外側には先端に内フランジを備えたスリーブ４か設けられており、スリーブ４内には後端が芯タンク２と当接したチャックスプリング５が装着されて、チャック３および芯タンク２を常時後方に付勢している。図中、符号は、過剰筆圧を吸収するためのクッションスプリング６である。また、チャック３の前方には筆記芯Ｌを保持するためのスライダ７が軸筒１に螺合により設けられた先具８内を摺動自在に設けられている。
【００１１】
他方、芯タンク２の後端部にはクリップ付き受け台９が取り外し可能に取り付けられている。このクリップ付き受け台９の上端部には消しゴム１０が装着される受け部９１が一体的に設けられている。そして、この受け部９１には消しゴムキャップ１１が着脱自在に被冠されている。
【００１２】
さらに、軸筒１と先軸の各部分をカバーしたグリップカバー１２がこれらの部品に被覆されている。なお、このグリップカバー１２は、通常はゴムまたは軟質合成樹脂から構成されてなる。
【００１３】
以下、上記発明に実施の形態による筆記具の動作について説明する。まず、通常の筆記を行う場合には、受け台９の後端をノックすると、チャックスプリング５に抗して受け台９に協動して芯タンク２が前進せしめられる。そして、この芯タンク２に連結されたチャック３の前進過程でチャック３に遊嵌されたチャックリング３１が先具８の内壁係止部に当接してチャック３から外れ、チャック３が開放される。そこで筆記芯Ｌは自重で落下・前進せしめられる。
【００１４】
なお、ノックを終えると、チャックスプリング５の付勢力によってチャック３が後退し、この後退過程においてチャックリング３１がチャック３に嵌められて、チャック３を閉成するので筆記芯を保持して筆記可能となる。
【００１５】
図２は、この発明の実施の形態２によるグリップ付き筆記具の要部を示す拡大縦断面図である。図において、軸筒１のグリップ部分から前方に向かって、その外壁部分の肉厚がグリップカバー１２の肉厚分だけ薄肉部１ａに形成されている。その結果、軸筒１のグリップ後端に段差部１ｂが形成され、この段差部１ｂによってグリップカバー１２を位置決めできる。そして、グリップカバー１２は、軸筒１のグリップ部分はもとより先具８の一部を被覆するような長さにまで形成しておく。
【００１６】
さらに、軸筒１の前端と先具８との間にも段部８ａが形成されるように、先具８の外径を軸筒１の前端外径よりも小さく形成し、かつこの段部８ａに対応してグリップカバー１２の先部内壁に係合部１２ａを形成しておく。その結果、グリップカバー１２を軸筒１と先具８とに跨がって正確に位置決めし、確実に取り付けることができる。
【００１７】
この例では、軸筒１の外周の段差部１ａとグリップカバー１２の内周の係合部１２ａとがグリップカバー１２の位置決めとして作用すると共に、グリップカバー１２の外周面と露出された軸筒１の外周面とが面一となるので、ユーザーが筆記具を把持し易くかつ美観上も優れているという利点がある。
【００１８】
さらに、この筆記具には、赤色Ｒ、緑色Ｇおよび青色Ｂの３色からなる多色芯Ｌが充填されている。より詳しく述べると、この多色芯Ｌは、図３に示すように各色の端面がほぼ１２０度になるように押し出し成形によって作られており、その径は１．３ｍｍ程度が好適である。なお、この多色芯Ｌの色は、上記色に限定されるものでもなく、色の数も同様に限定されるものではない。このような多色芯Ｌを、筆記具の芯として使用すれば、筆記された線や形状がいわゆるレインボーカラーで表されるので楽しく筆記をすることができる。
【００１９】
【発明の効果】
この発明は、上記した通りの構成であるので、長時間先具部または先具の部分を把持して筆記しても疲れないという効果がある。
【００２０】
さらに、この発明によれば、軸筒と先具とが取り外し可能に設けられている場合には、先具の取り付けが緩んで軸筒１から外れてしまうことを防止する効果もある。
【００２１】
またさらに、この発明によれば、多色芯を用いたので筆記された筆跡が多色となり、装飾上優れた美的効果を奏するものである。
【図面の簡単な説明】
【図１】この発明の実施の形態１によるグリップカバー付き筆記具の縦断面図である。
【図２】この発明の実施の形態２によるグリップカバー付き筆記具の部分縦断面図である。
【図３】この発明の実施の形態によるグリップカバー付き筆記具に用いられる多色芯を示す拡大端面図である。
【符号の説明】
１　軸筒
２　芯タンク
３　チャック
３１　チャックリング
４　スリーブ
５　チャックスプリング
６　クッションスプリング
７　スライダ
８　先具
９　受け台
９１　受け部
１０　消しゴム
１１　キャップ
１２　グリップカバー
Ｌ　多色芯
【図１】
2004142287.tif 000003
【図２】
2004142287.tif 000004
【図３】
2004142287.tif 000005